(57)【要約】【課題】常時は容器から蓋が外れにくく高い密閉性を得ることができると共に、低コストでデザイン性に優れる蓋付き包装用容器を提供する。【解決手段】蓋３０の略外周に段差嵌合部３３と蓋突出部３４と蓋折返部３５と蓋水平端部３６が設けられ、容器本体２０の略外周に段差被嵌合部２３と本体突出部２４と本体折返部２５と本体水平端部２６が設けられ、段差被嵌合部２３に段差嵌合部３３が着脱自在に外嵌合されて蓋３０で容器本体２０が略密閉され、嵌合状態で、蓋突出部３４、蓋折返部３５、蓋水平端部３６がそれぞれ本体突出部２４、本体折返部２５、本体水平端部２６に略倣って配置されると共に、蓋水平端部３６の外端と本体水平端部２６の外端の突出位置が略同一とされる蓋付き包装用容器１０。【選択図】図３
2018115002.tif 000002
【特許請求の範囲】
【請求項１】
合成樹脂製の蓋と、合成樹脂製の容器本体を備え、
前記蓋の略外周に、外側に向かって降りる段差状の段差嵌合部と、前記段差嵌合部から連なって外側に突出する蓋突出部と、前記蓋突出部の外端から外側に向かって上方に延びる蓋折返部と、前記蓋折返部の外端から外側に向かって略水平に延びる蓋水平端部が設けられ、
前記容器本体の略外周に、外側に向かって降りる段差状の段差被嵌合部と、前記段差被嵌合部から連なって外側に突出する本体突出部と、前記本体突出部の外端から外側に向かって上方に延びる本体折返部と、前記本体折返部の外端から外側に向かって略水平に延びる本体水平端部が設けられ、
前記段差被嵌合部に前記段差嵌合部が着脱自在に外嵌合されて前記蓋で前記容器本体が略密閉され、
前記嵌合状態で、前記蓋突出部、前記蓋折返部、前記蓋水平端部がそれぞれ前記本体突出部、前記本体折返部、前記本体水平端部に略倣うように配置され、前記蓋水平端部の外端と前記本体水平端部の外端の突出位置が略同一になっていることを特徴とする蓋付き包装用容器。
【請求項２】
前記段差被嵌合部の周壁部の少なくとも一部で前記段差嵌合部の周壁部が常時付勢されて、前記蓋水平端部の外端と前記本体水平端部の外端の突出位置が略同一になっていることを特徴とする請求項１記載の蓋付き包装用容器。
【請求項３】
前記嵌合状態における前記蓋水平端部の外端の下端部と前記本体水平端部の外端の上端部との離間距離が１ｍｍ以下であることを特徴とする請求項１又は２記載の蓋付き包装用容器。
【請求項４】
前記段差嵌合部の前記周壁部の付勢される箇所よりも下側の位置に内方に突出する内方突部が形成されていることを特徴とする請求項１〜４の何れかに記載の蓋付き包装用容器。
【発明の詳細な説明】
【技術分野】
【０００１】
本発明は、食品、食材等が収容される合成樹脂製の蓋付き包装用容器に関する。
【背景技術】
【０００２】
従来、合成樹脂製の包装用容器の被嵌合部に合成樹脂製の蓋の嵌合部を被せるように外嵌合する蓋付き包装用容器が知られている。例えば特許文献１には、包装用容器の被嵌合部に蓋の嵌合部が被せるように外嵌合されると共に、蓋の嵌合部の外端から下方に垂下する蓋垂下部の先端に内方に突出する蓋突出部が形成され、包装用容器の被嵌合部から下方に垂下する容器垂下部の最下部に蓋突出部が係止される蓋付き包装用容器が開示されている。
【先行技術文献】
【特許文献】
【０００３】
【特許文献１】特開平９−２０２３４０号
【発明の概要】
【発明が解決しようとする課題】
【０００４】
ところで、特許文献１の蓋付き包装用容器は、包装用容器の被嵌合部から下方に垂下する容器垂下部の最下部に、蓋の嵌合部の外端から下方に垂下する蓋垂下部の先端に設けられる蓋突出部を係止することにより、蓋が容器から外れにくくし密閉性を高めている。しかしながら、この蓋付き包装用容器の構造では、包装用容器の被嵌合部から下方に垂れ下がるように容器垂下部を設け、蓋の嵌合部の外端から下方に垂れ下がるように蓋垂下部を設け、更にその先に蓋突出部を設けるため、蓋付き包装用容器の全体の周縁が垂れ下がった形状となり、デザイン性に劣る。また、かなり長めに垂下する容器垂下部、かなり長めに垂下する蓋垂下部と蓋突出部を容器周縁に形成するため、合成樹脂材が余分に必要になり高コストになるという問題もある。そのため、容器から蓋が外れにくくして密閉性を高められると共に、低コストでデザイン性に優れる蓋付き包装用容器が求めている。
【０００５】
本発明は上記課題に鑑み提案するものであって、常時は容器から蓋が外れにくく高い密閉性を得ることができると共に、低コストでデザイン性に優れる蓋付き包装用容器を提供することを目的とする。
【課題を解決するための手段】
【０００６】
本発明の蓋付き包装用容器は、合成樹脂製の蓋と、合成樹脂製の容器本体を備え、前記蓋の略外周に、外側に向かって降りる段差状の段差嵌合部と、前記段差嵌合部から連なって外側に突出する蓋突出部と、前記蓋突出部の外端から外側に向かって上方に延びる蓋折返部と、前記蓋折返部の外端から外側に向かって略水平に延びる蓋水平端部が設けられ、前記容器本体の略外周に、外側に向かって降りる段差状の段差被嵌合部と、前記段差被嵌合部から連なって外側に突出する本体突出部と、前記本体突出部の外端から外側に向かって上方に延びる本体折返部と、前記本体折返部の外端から外側に向かって略水平に延びる本体水平端部が設けられ、前記段差被嵌合部に前記段差嵌合部が着脱自在に外嵌合されて前記蓋で前記容器本体が略密閉され、前記嵌合状態で、前記蓋突出部、前記蓋折返部、前記蓋水平端部がそれぞれ前記本体突出部、前記本体折返部、前記本体水平端部に略倣うように配置され、前記蓋水平端部の外端と前記本体水平端部の外端の突出位置が略同一になっていることを特徴とする。
これによれば、蓋と容器本体が外嵌合で略密閉されると共に、蓋突出部、蓋折返部、蓋水平端部がそれぞれ本体突出部、本体折返部、本体水平端部に略倣うように配置され、更に蓋水平端部の外端と本体水平端部の外端の突出位置が略同一の受け皿状となることから、蓋付き包装用容器を下から持ち上げた際に蓋が外れることを確実に防止することが可能となり、常時は外力や振動で蓋が外れにくく蓋と容器本体の高い密閉性を得ることができる。従って、食品、食材等を収容した容器本体と蓋を接着テープで留める等の更なる密閉状態を維持する構成を用いずとも密閉状態が運搬等に耐えうる蓋付き包装用容器を得ることができる。また、長めに垂れ下がる垂下部を蓋や容器に形成する必要がないことから、余分な合成樹脂材を使用する必要が無く製造コストを低減することができると共に、デザイン性を高めることができる。
【０００７】
本発明の蓋付き包装用容器は、前記段差被嵌合部の周壁部の少なくとも一部で前記段差嵌合部の周壁部が常時付勢されて、前記蓋水平端部の外端と前記本体水平端部の外端の突出位置が略同一になっていることを特徴とする。
これによれば、段差被嵌合部の周壁部の少なくとも一部で段差嵌合部の周壁部を常時付勢して、蓋水平端部の外端と本体水平端部の外端の突出位置を略同一にしていることから、蓋水平端部に内外方向等の弾力性、柔軟性を付与することができ、この蓋水平端部の弾力性、柔軟性で利用者が意図的に蓋を外す動作を行った際にはスムーズに蓋を外させることができる。
【０００８】
本発明の蓋付き包装用容器は、前記嵌合状態における前記蓋水平端部の外端の下端部と前記本体水平端部の外端の上端部との離間距離が１ｍｍ以下であることを特徴とする。
これによれば、蓋水平端部の外端と本体水平端部の外端とが離れすぎて意図しない蓋の離脱が発生することを防止し、より高い安定性を有する蓋と容器本体の密閉状態を得ることができる。
【０００９】
本発明の蓋付き包装用容器は、前記段差嵌合部の前記周壁部の付勢される箇所よりも下側の位置に内方に突出する内方突部が形成されていることを特徴とする。
これによれば、内方突部が付勢箇所に引っ掛かることで、より一層確実に意図しない蓋の離脱が発生することを防止することができる。また、内方突部がある箇所とない箇所の屈曲で段差嵌合部の周壁部の機械的強度を高めることができ、蓋水平端部の外端と本体水平端部の外端の突出位置が略同一になっている状態の安定性、耐久性を高めることができる。
【発明の効果】
【００１０】
本発明によれば、常時は蓋が外れにくく高い密閉性を得ることができると共に、低コストでデザイン性に優れる蓋付き包装用容器を得ることができる。
【図面の簡単な説明】
【００１１】
【図１】本発明の実施形態の蓋付き包装用容器の分解斜視図。
【図２】実施形態の蓋付き包装用容器の縦断説明図。
【図３】実施形態の蓋付き包装用容器の外端周辺を示す部分拡大端面図。
【発明を実施するための形態】
【００１２】
〔実施形態の蓋付き包装用容器〕
本発明の実施形態の蓋付き包装用容器１０は、図１〜図３に示すように、平面視略矩形の包装用容器である容器本体２０と、容器本体２０に開閉自在に外嵌合される平面視略矩形の蓋３０とから構成される。容器本体２０、蓋３０は、それぞれ合成樹脂で全体に亘って薄肉板状に形成されており、図示例の蓋３０は透明な合成樹脂で形成されている。
【００１３】
容器本体２０は、略中央に盛り上がった隆起部２１１を有する底部２１と、底部２１の周囲から上側に向かって外方に傾斜するように立設する側壁２２を備え、側壁２２は容器本体２０の全周に亘って周状に設けられている。
【００１４】
容器本体２０の略外周には、側壁２２の上側に連なるように設けられ、外側に向かって降りる段差状の段差被嵌合部２３と、段差被嵌合部２３から連なって外側に突出する本体突出部２４と、本体突出部２４の外端から外側に向かって上方に延びる本体折返部２５と、本体折返部２５の外端から外側に向かって略水平に延びる本体水平端部２６が設けられている。段差被嵌合部２３の略垂直に延びる周壁部２３１の上部には外方に突出する外方突条２３１ａが全周に亘って形成されている。本体水平端部２６にはエンボス加工による小凹凸が表裏面に形成されている。
【００１５】
蓋３０は、天板３１と、天板３１の周囲から下側に向かって外方に傾斜するように延びて形成されている側壁３２を備え、側壁２２は蓋３０の全周に亘って周状に設けられている。蓋３０の略外周には、側壁３２の下側に連なるように設けられ、外側に向かって降りる段差状の段差嵌合部３３と、段差嵌合部３３から連なって外側に突出する蓋突出部３４と、蓋突出部３４の外端から外側に向かって上方に延びる蓋折返部３５と、蓋折返部３５の外端から外側に向かって略水平に延びる蓋水平端部３６が設けられている。
【００１６】
段差嵌合部３３の略垂直に延びる周壁部３３１の下部には内方に突出する内方突部３３１ａが形成されている。本実施形態の内方突部３３１ａは、蓋３０の周方向に連続的に形成されているが、蓋３０の周方向に所定間隔を開けて断続的に形成しても良好である。内方突部３３１ａを蓋３０の周方向に断続的に形成する場合には、内方突部３３１ａがある箇所とない箇所の屈曲で弾力性を高めることができ、蓋水平端部３６の弾力性、柔軟性を一層高めることができる。内方突部３３１ａは、後述する容器本体２０の段差被嵌合部２３に蓋３０の段差嵌合部３３を外嵌合した状態で、段差嵌合部３３の周壁部３３１の付勢される箇所よりも下側の位置になるように設けられている。
【００１７】
容器本体２０に蓋３０を外嵌合して構成した蓋付き包装用容器１０では、容器本体２０の段差被嵌合部２３に蓋３０の段差嵌合部３３が着脱自在に被さるように外嵌合されて蓋３０で容器本体２０が略密閉される。この略密閉した嵌合状態では、図３に示すように、蓋３０の蓋突出部３４、蓋折返部３５、蓋水平端部３６が、それぞれ容器本体２０の本体突出部２４、本体折返部２５、本体水平端部２６に略倣うように配置される。
【００１８】
そして、容器本体２０の段差被嵌合部２３の周壁部２３１の少なくとも一部で蓋３０の段差嵌合部３３の周壁部３３１が常時付勢されて、蓋水平端部３４の外端と本体水平端部２４の外端の突出位置が略同一になるように構成されている。本実施形態では段差被嵌合部２３の周壁部２３１の外方突条２３１ａで、段差嵌合部３３の周壁部３３１が内方突部３３１ａよりも上側の位置で常時付勢されることにより、蓋水平端部３６の外端の外側への突出位置Ｌ２と本体水平端部２６の外端の外側への突出位置Ｌ１が略同一になっている。尚、この突出位置Ｌ１とＬ２の「略同一」には、突出位置Ｌ１と突出位置Ｌ２の差が０．５ｍｍ以下である場合が含まれ、また、好適には突出位置Ｌ１と突出位置Ｌ２の差を０ｍｍとすると望ましい。
【００１９】
更に、この略密閉した嵌合状態においては、蓋水平端部３６の外端の下端部と本体水平端部２６の外端の上端部との離間距離Ｈを１ｍｍ以下とすると好適であり、より好ましくはこの離間距離Ｈを０ｍｍとするとよい。これにより、蓋水平端部３６の外端と本体水平端部２６の外端とが離れすぎて意図しない蓋の離脱が発生することを防止し、より高い安定性を有する蓋３０と容器本体２０の密閉状態を得ることができる。
【００２０】
本実施形態の蓋付き包装用容器１０によれば、蓋３０と容器本体２０が外嵌合で略密閉されると共に、蓋突出部３４、蓋折返部３５、蓋水平端部３６がそれぞれ本体突出部２４、本体折返部２５、本体水平端部２６に略倣うように配置され、更に蓋水平端部３６の外端と本体水平端部２６の外端の突出位置が略同一の受け皿状となることから、蓋付き包装用容器を１０下から持ち上げた際に蓋３０が外れることを確実に防止することが可能となり、常時は外力や振動で蓋３０が外れにくく蓋３０と容器本体２０の高い密閉性を得ることができる。従って、食品、食材等を収容した容器本体２０と蓋３０を接着テープで留める等の更なる密閉状態を維持する構成を用いずとも密閉状態が運搬等に耐えうる蓋付き包装用容器１０を得ることができる。また、長めに垂れ下がる垂下部を蓋や容器に形成する必要がないことから、余分な合成樹脂材を使用する必要が無く製造コストを低減することができると共に、デザイン性を高めることができる。
【００２１】
また、段差被嵌合部２３の外周面の少なくとも一部で段差嵌合部３３の周壁部３３１を常時付勢して、蓋水平端部３６の外端と本体水平端部２６の外端の突出位置を略同一にしていることから、蓋水平端部３６に内外方向等の弾力性、柔軟性を付与することができ、この蓋水平端部３６の弾力性、柔軟性で利用者が意図的に蓋３０を外す動作を行った際にはスムーズに蓋３０を外させることができる。
【００２２】
また、段差嵌合部３３の周壁部３３１の付勢される箇所よりも下側の位置に内方突部３３１ａを形成することにより、内方突部３３１ａが付勢箇所に引っ掛かることで、より一層確実に意図しない蓋３０の離脱が発生することを防止することができる。また、内方突部３３１ａがある箇所とない箇所の屈曲で段差嵌合部３３の周壁部３３１の機械的強度を高めることができ、蓋水平端部３６の外端と本体水平端部２６の外端の突出位置が略同一になっている状態の安定性、耐久性を高めることができる。
【００２３】
〔本明細書開示発明の包含範囲〕
本明細書開示の発明は、発明として列記した各発明、実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００２４】
例えば本発明の蓋付き包装用容器における容器本体の平面視形状、蓋の平面視形状は、上記実施形態の平面視矩形に限定されず、本発明の趣旨の範囲内で適宜であり、例えば平面視略六角形、平面視略八角形、平面視略十二角形等の平面視略多角形の容器本体と蓋、或いは平面視略円形若しくは平面視略楕円形の容器本体と蓋とすることも可能である。
【００２５】
また、容器本体２０の段差被嵌合部２３の周壁部２３１の少なくとも一部で蓋３０の段差嵌合部３３の周壁部３３１を常時付勢する構成は、段差被嵌合部２３の周壁部２３１の外方突条２３１ａで段差嵌合部３３の周壁部３３１を常時付勢する構成に限定されず、本発明の趣旨の範囲内で適宜である。また、蓋３０の段差嵌合部３３の周壁部３３１は内方突部３３１ａを設けない構成とすることも可能である。
【００２６】
また、上記実施形態では、容器本体２０の段差被嵌合部２３の周壁部２３１の少なくとも一部で蓋３０の段差嵌合部３３の周壁部３３１を常時付勢して、蓋水平端部３６の外端と本体水平端部２６の外端の突出位置を略同一にする構成としたが、容器本体２０の段差被嵌合部２３の周壁部２３１が蓋３０の段差嵌合部３３の周壁部３３１を常時付勢することなく、蓋水平端部３６の外端と本体水平端部２６の外端の突出位置を略同一にする構成も、本発明の蓋付き包装用容器に含まれる。
【産業上の利用可能性】
【００２７】
本発明は、例えば食品、食材等を収容する蓋付き包装用容器として利用することができる。
【符号の説明】
【００２８】
１０…蓋付き包装用容器  ２０…容器本体  ２１…底部  ２１１…隆起部  ２２…側壁  ２３…段差被嵌合部  ２３１…周壁  ２３１ａ…外方突条  ２４…本体突出部  ２５…本体折返部  ２６…本体水平端部  ３０…蓋  ３１…天板  ３２…側壁  ３３…段差嵌合部  ３３１…周壁  ３３１ａ…内方突部  ３４…蓋突出部  ３５…蓋折返部  ３６…蓋水平端部  Ｌ１…本体水平端部の外端の突出位置  Ｌ２…蓋水平端部の外端の突出位置  Ｈ…蓋水平端部の外端の下端部と本体水平端部の外端の上端部との離間距離
【図１】
2018115002.tif 000003
【図２】
2018115002.tif 000004
【図３】
2018115002.tif 000005